(57)【要約】【課題】見栄えがよく、且つ水平棒の端部からのカーテンフックの脱落を防止するようにした突っ張り式カーテンポールを提供する。【解決手段】床面と天井との間に垂設される一対の突っ張り棒と、複数のカーテンフックを取り付けるための水平棒と、を有する突っ張り式カーテンポールであり、前記突っ張り棒が、水平方向に突出した突出部材を有し、前記水平棒が前記所定間隔よりも長く且つ前記複数のカーテンフックのうち両端部に位置するカーテンフックを係止させるための上方に突出した係止部材が前記水平棒の両端部に設けられてなり、前記水平棒の係止部材が前記垂設された突っ張り棒よりも外側にはみ出すことにより、前記係止部材に前記カーテンフックを取り付け、前記カーテンフックにカーテンを取り付けたときに、前記突っ張り棒がカーテンに隠れるようにした。【選択図】図１
0003171780.tif 000002
【実用新案登録請求の範囲】
【請求項１】
所定間隔を空けて床面と天井との間に垂設される一対の突っ張り棒と、前記床面と平行となるように前記突っ張り棒間に架け渡され、複数のカーテンフックを取り付けるための水平棒と、を有する突っ張り式カーテンポールであり、前記突っ張り棒が、水平方向に突出した突出部材を有し、前記水平棒が、前記突出部材に取り付けられることで前記水平棒が前記突っ張り棒から所定距離離間して前記突っ張り棒間に架け渡されてなり、前記水平棒が前記所定間隔よりも長く且つ前記複数のカーテンフックのうち両端部に位置するカーテンフックを係止させるための上方に突出した係止部材が前記水平棒の両端部に設けられてなり、前記水平棒の係止部材が前記垂設された突っ張り棒よりも外側にはみ出すことにより、前記係止部材に前記カーテンフックを取り付け、前記カーテンフックにカーテンを取り付けたときに、前記突っ張り棒がカーテンに隠れるようにしたことを特徴とする突っ張り式カーテンポール。
【請求項２】
前記係止部材が、Ｕ字形であることを特徴とする請求項１記載の突っ張り式カーテンポール。
【請求項３】
前記水平棒が伸縮自在であることを特徴とする請求項１又は２記載の突っ張り式カーテンポール。
【請求項４】
前記突っ張り棒が伸縮自在であることを特徴とする請求項１〜３いずれか１項記載の突っ張り式カーテンポール。
【考案の詳細な説明】
【技術分野】
【０００１】
本考案は、突っ張り棒を用いた突っ張り式カーテンポールに関する。
【背景技術】
【０００２】
従来、突っ張りポールに通して取り付けるカーテンは公知であり、このようなカーテンの例としては、特許文献１がある。
【０００３】
また、家庭、病院、宿泊施設などといった場所で、室内で間仕切りカーテンを設置する際に、一対の突っ張り棒を所定間隔を空けて垂設せしめ、これに水平棒を架け渡し、前記水平棒にカーテンフックを取り付けてなる突っ張り式カーテンポールが知られている。使用時には、前記カーテンフックにカーテンを取り付けて使用される。
【０００４】
このような突っ張り棒を用いた突っ張り式カーテンポールでは、従来は、図６に示すように、所定間隔を空けて垂設された一対の突っ張り棒１１２の間に水平棒１１６を架け渡しており、前記所定間隔と水平棒１１６の長さは同じであった。このような構成だと、水平棒１１６にカーテンフック１１４を取り付けてカーテンフック１１４にカーテン１２４を取り付けても突っ張り棒１１２が見えてしまい、見栄えが悪かった。
【０００５】
しかしながら、前記一対の突っ張り棒の所定間隔よりも水平棒１１６を長くして、カーテン１２４を取り付けた際に、カーテン１２４に突っ張り棒１１２が隠れるようにしようとすると、水平棒１１６の端部にカーテンフック１１４を係止するものがないため、水平棒１１６の端部からカーテンフック１１４が脱落してしまうという問題があった。
【先行技術文献】
【特許文献】
【０００６】
【特許文献１】特開２００２−１２５８４６号公報
【考案の概要】
【考案が解決しようとする課題】
【０００７】
本考案は、上記した従来技術の問題点に鑑みてなされたものであり、見栄えがよく、且つ水平棒の端部からのカーテンフックの脱落を防止するようにした突っ張り式カーテンポールを提供することを目的とする。
【課題を解決するための手段】
【０００８】
上記課題を解決するために、本考案の突っ張り式カーテンポールは、所定間隔を空けて床面と天井との間に垂設される一対の突っ張り棒と、前記床面と平行となるように前記突っ張り棒間に架け渡され、複数のカーテンフックを取り付けるための水平棒と、を有する突っ張り式カーテンポールであり、前記突っ張り棒が、水平方向に突出した突出部材を有し、前記水平棒が、前記突出部材に取り付けられることで前記水平棒が前記突っ張り棒から所定距離離間して前記突っ張り棒間に架け渡されてなり、前記水平棒が前記所定間隔よりも長く且つ前記複数のカーテンフックのうち両端部に位置するカーテンフックを係止させるための上方に突出した係止部材が前記水平棒の両端部に設けられてなり、前記水平棒の係止部材が前記垂設された突っ張り棒よりも外側にはみ出すことにより、前記係止部材に前記カーテンフックを取り付け、前記カーテンフックにカーテンを取り付けたときに、前記突っ張り棒がカーテンに隠れるようにしたことを特徴とする。
【０００９】
このように構成することで、カーテンに突っ張り棒が隠れるので見栄えがよくなり、また、水平棒の両端部に係止部材が取り付けられているので、水平棒の両端部からのカーテンフックの脱落を防止することができる。
【００１０】
また、前記係止部材としては、Ｕ字形とされているのが好ましく、前記Ｕ字形の係止部材に前記複数のカーテンフックのうち両端部に位置するカーテンフックが係止されるのが好ましい。
【００１１】
前記水平棒が伸縮自在であるのが好適である。
【００１２】
前記突っ張り棒が伸縮自在であるのが好適である。
【考案の効果】
【００１３】
本考案によれば、見栄えがよく、且つ水平棒の端部からのカーテンフックの脱落を防止するようにした突っ張り式カーテンポールを提供することができるという著大な効果を奏する。
【図面の簡単な説明】
【００１４】
【図１】本考案の突っ張り式カーテンポールの一つの実施の形態を示す斜視図である。
【図２】図１の要部拡大図である。
【図３】図２の分解図である。
【図４】図１の正面図である。
【図５】図１の突っ張り式カーテンポールにカーテンを取り付けた状態を示す斜視図である。
【図６】従来の突っ張り式カーテンポールの要部拡大図である。
【考案を実施するための形態】
【００１５】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１６】
図１〜５において、符号１０は、本考案の突っ張り式カーテンポールを示す。突っ張り式カーテンポール１０は、所定間隔Ｄを空けて床面と天井との間に垂設される一対の突っ張り棒１２ａ，１２ｂと、前記床面と平行となるように前記突っ張り棒１２ａ，１２ｂ間に架け渡され、複数のカーテンフック１４を取り付けるための水平棒１６と、を有する突っ張り式カーテンポールである。
【００１７】
突っ張り式カーテンポール１０は、前記突っ張り棒１２ａ，１２ｂが、水平方向に突出した突出部材１８ａ，１８ｂを有し、前記水平棒１６が、前記突出部材１８ａ，１８ｂに取り付けられることで、図２によく示される如く、前記水平棒１６が前記突っ張り棒１２ａ，１２ｂから所定距離Ｐ離間して前記突っ張り棒１２ａ，１２ｂ間に架け渡されている。
【００１８】
そして、図１及び図４によく示される如く、前記水平棒１６が前記所定間隔Ｄよりも長くされており、且つ前記複数のカーテンフック１４のうち両端部に位置するカーテンフック（図２及び図５の例では、カーテンフック２０ａ，２０ｂ）を係止させるための上方に突出した係止部材２２ａ，２２ｂが前記水平棒１６の両端部に設けられてなり、前記水平棒１６の係止部材２２ａ，２２ｂが前記垂設された突っ張り棒１２ａ，１２ｂよりも外側にはみ出すことにより、前記係止部材２２ａ，２２ｂに前記カーテンフック２０ａ，２０ｂを取り付け、前記カーテンフック１４にカーテン２４を取り付けたときに、前記突っ張り棒１２ａ，１２ｂがカーテン２４に隠れるようにされている。
【００１９】
また、前記係止部材２２ａ，２２ｂは、図２及び図３によく示される如く、Ｕ字形とされており、その窪み２６にカーテンフック２０ａ，２０ｂが取り付けられている。
【００２０】
さらに、前記水平棒１６は、径小パイプ２８と径大パイプ３０が摺動可能に嵌合せしめられており、伸縮自在とされている。
【００２１】
また、前記突出部材１８ａは、突っ張り棒１２ａから水平方向に突出した円筒状突起部３２に水平棒１６に設けられた円筒状突起部３４が嵌合され、螺子３６で固定される構成とされている。
【００２２】
さらにまた、前記突っ張り棒１２ａ，１２ｂは伸縮自在とされており、伸縮調整部３８ａ，３８ｂを回すことで、伸ばした状態や縮めた状態で固定できるようにされている。また、突っ張り調整部４０ａ，４０ｂを回すことで、突っ張り具合の調整ができるようにされている。これら突っ張り棒の基本的原理については公知であるから、さらなる詳細な説明は省略する。
【００２３】
このように、本考案の突っ張り式カーテンポール１０は、カーテンを取り付けた際に、カーテンに突っ張り棒が隠れるので見栄えがよく、また、水平棒の両端部に係止部材が取り付けられているので、水平棒の両端部からのカーテンフックの脱落を防止することができるので、室内の間仕切りなどに好適に使用できる。
【符号の説明】
【００２４】
１０：本考案の突っ張り式カーテンポール、１２ａ，１２ｂ，１１２：突っ張り棒、１４，２０ａ，２０ｂ，１１４：カーテンフック、１６，１１６：水平棒、１８ａ，１８ｂ：突出部材、２２ａ，２２ｂ：係止部材、２４，１２４：カーテン、２６：窪み、２８：径小パイプ、３０：径大パイプ、３２，３４：円筒状突起部、３６：螺子、３８ａ，３８ｂ：伸縮調整部、４０ａ，４０ｂ：突っ張り調整部、Ｄ：所定間隔、Ｐ：所定距離。
【図１】
0003171780.tif 000003
【図２】
0003171780.tif 000004
【図３】
0003171780.tif 000005
【図４】
0003171780.tif 000006
【図５】
0003171780.tif 000007
【図６】
0003171780.tif 000008